(57)【要約】【課題】電磁弁を短時間で開／閉動作させ、且つシステムリセットせず安定して動作できるバルブ装置を提供する。【解決手段】実施形態によれば、通電により流路を開閉するラッチ式電磁弁と、前記ラッチ式電磁弁に電流を供給する駆動コンデンサと、前記ラッチ式電磁弁と前記駆動コンデンサとの間に設けられ、前記駆動コンデンサから前記ラッチ式電磁弁への通電を開始あるいは停止する通電部と、前記通電部を制御する制御部と、電源から供給される電圧を電圧変換して前記駆動コンデンサへ充電する第１電源部と、電源から供給される電圧を電圧変換して前記制御部を駆動する第２電源部と、を備え、前記第１電源部と前記第２電源部とが並列に接続されたことを特徴とするバルブ装置が提供される。【選択図】図３
2015068399.tif 000002
【特許請求の範囲】
【請求項１】
通電により流路を開閉するラッチ式電磁弁と、
前記ラッチ式電磁弁に電流を供給する駆動コンデンサと、
前記ラッチ式電磁弁と前記駆動コンデンサとの間に設けられ、前記駆動コンデンサから前記ラッチ式電磁弁への通電を開始あるいは停止する通電部と、
前記通電部を制御する制御部と、
電源から供給される電圧を電圧変換して前記駆動コンデンサへ充電する第１電源部と、
電源から供給される電圧を電圧変換して前記制御部を駆動する第２電源部と、
を備え、
前記第１電源部と前記第２電源部とは、並列に接続されたことを特徴とするバルブ装置。
【請求項２】
通電により流路を開閉するラッチ式電磁弁と、
前記ラッチ式電磁弁に電流を供給する駆動コンデンサと、
前記ラッチ式電磁弁と前記駆動コンデンサとの間に設けられ、前記駆動コンデンサから前記ラッチ式電磁弁への通電を開始あるいは停止する通電部と、
前記通電部を制御する制御部と、
電源から供給される電圧を電圧変換して２次側電圧を生成する電源部と、
前記電源部と前記制御部との間に設けられ、前記ラッチ式電磁弁の通電中から通電後にかけて、前記制御部の電圧を保持するバックアップコンデンサと、
前記バックアップコンデンサと前記電源部との間に設けられ、前記バックアップコンデンサから前記駆動コンデンサへの充電を抑制する逆流抑制手段と、
を備えたことを特徴とするバルブ装置。
【請求項３】
前記制御部は、その一部の機能を制限または停止させる低消費モードを有し、
前記駆動コンデンサへ充電中は、前記制御部は前記低消費モードで動作することを特徴とする請求項１または２に記載のバルブ装置。
【請求項４】
湯水を吐水する吐水口を有する吐水部と、
請求項１〜３のいずれか１つに記載のバルブ装置と、
を備え、
前記バルブ装置の前記ラッチ式電磁弁は、前記吐水口へ湯水を供給する流路を開閉することを特徴とする水栓装置。
【請求項５】
給水源からの水を供給する給水管と、
給湯源からの湯を供給する給湯管と、
前記給水管および前記給湯管からそれぞれ供給された湯と水とを混合する湯水混合手段と、
前記湯水混合手段から前記吐水口へ湯水を供給する出湯管と、
をさらに備え、
前記ラッチ式電磁弁は、前記給水管及び前記給湯管にそれぞれ設けられたことを特徴とする請求項４記載の水栓装置。
【発明の詳細な説明】
【技術分野】
【０００１】
本発明の実施形態は、ラッチ式電磁弁を利用したバルブ装置及びそれを備えた水栓装置に関する。
【背景技術】
【０００２】
ラッチ式電磁弁（以下、「電磁弁」ともいう）が設けられたバルブ装置は、従来から水やガスなどの流体の経路を開／閉するために用いられている。ラッチ式電磁弁は、ソレノイドコイルへの通電によりプランジャを移動させて流路の開／閉状態を切替える。流路の開状態または閉状態を維持しているときは、電磁弁への通電は行わず、永久磁石の磁力またはバネの弾性力を利用してプランジャを保持する。一方、開状態と閉状態との切替え時（以下、「駆動」ともいう）には、電磁弁へ通電を行い、プランジャを移動させる。そのため、電磁弁は、流路の開／閉状態の切替え時にのみ通電を行えばよい。
【０００３】
通常、電磁弁のインピーダンスは数オームから数十オーム程度であり、例えば、電磁弁を動作させる電圧を３Ｖとすると、電磁弁の駆動には数百ｍＡ程度の比較的大きな電流が必要となる。そのため、電源回路も数百ｍＡ程度を流すことが出来る比較的大きな容量を有する必要がある。一方、電磁弁駆動時の通電時間に注目すると、通電時間は数十ｍｓ程度となるように構成されることが一般的である。
【０００４】
このような電磁弁は、洗浄装置や水栓装置などの吐水装置に広く使われている。トイレや流し場などに設置される吐水装置は使用者の操作によって吐水を行うが、１日の大半は使用者がいない状態である場合が多い。つまり、電磁弁への通電時間は非通電時間に比べて圧倒的に短く、１日の大半は数ｍＡ程度の小さな電力しか消費しない状態である。
【０００５】
電磁弁を駆動するためだけに電源回路を大型化することは非効率であり、電源回路全体のコストアップにも繋がる。そこで、電磁弁駆動時に瞬間的に大きな電力を供給する手段としてコンデンサが使われることがある。コンデンサに充電された電力を用いて電磁弁を駆動し、コンデンサへ数ｍＡから数十ｍＡ程度の弱電流で充電する充電回路を設けることで、容量の小さな電源回路でも電磁弁を駆動することができる（例えば、特許文献１参照）。
【先行技術文献】
【特許文献】
【０００６】
【特許文献１】特開平０７−１６７３３８号公報
【発明の概要】
【発明が解決しようとする課題】
【０００７】
しかし、電磁弁駆動用にコンデンサを用いる場合、次のような課題がある。  
電磁弁への通電終了直後は、コンデンサの電圧は放電により低下しているため、次の電磁弁通電に備えてコンデンサを充電する必要がある。コンデンサへの充電電流を数十ｍＡ程度に制限しているため、コンデンサへの充電に時間がかかり、電磁弁を短時間で再び駆動できない。つまり、バルブ装置の開閉を短時間に繰り返すことが、困難となる。
【０００８】
充電電流を大きくすることで、充電時間を早めることができる。しかし、容量の小さい電源回路を用いているため、充電開始直後に電源電圧が低下し、最悪の場合、ＣＰＵなどの制御部が停止して、システムリセットしてしまうおそれがある。  
換言すると、従来はコンデンサへの充電電流を制限し、電源回路にかかる負荷を抑えることで、システム全体を安定して動作させている。そのため、安易に充電電流を大きくすることはできない。電源供給に余裕を持たせるためには、電流を制限することが必須であり、電磁弁の駆動間隔を縮めることは、できなかった。
本発明は、かかる課題を解決するためになされたもので、その目的は、電磁弁を短時間で開／閉動作させ、且つシステムリセットせず安定して動作できるバルブ装置及びこれを備えた水栓装置を提供することである。
【課題を解決するための手段】
【０００９】
上記目的を達成するための本発明の実施形態によれば、通電により流路を開閉するラッチ式電磁弁と、前記ラッチ式電磁弁に電流を供給する駆動コンデンサと、前記ラッチ式電磁弁と前記駆動コンデンサとの間に設けられ、前記駆動コンデンサから前記ラッチ式電磁弁への通電を開始あるいは停止する通電部と、前記通電部を制御する制御部と、電源から供給される電圧を電圧変換して前記駆動コンデンサへ充電する第１電源部と、電源から供給される電圧を電圧変換して前記制御部を駆動する第２電源部と、を備え、前記第１電源部と前記第２電源部とが並列に接続されたことを特徴とするバルブ装置が提供される。
【００１０】
これによれば、電磁弁駆動コンデンサを充電する第１電源部と制御部を動作させる第２電源部とを並列に備えているため、互いに影響することなく、電源容量を自由に使うことができる。そのため、駆動コンデンサの充電に電流を制限する必要がなく、駆動コンデンサへの充電時間を大幅に短縮し、ラッチ式電磁弁を短時間で開／閉動作させることができ、なおかつバルブ装置を安定して動作させることができる。
【００１１】
また、本発明の実施形態によれば、通電により流路を開閉するラッチ式電磁弁と、前記ラッチ式電磁弁に電流を供給する駆動コンデンサと、前記ラッチ式電磁弁と前記駆動コンデンサとの間に設けられ、前記駆動コンデンサから前記ラッチ式電磁弁への通電を開始あるいは停止する通電部と、前記通電部を制御する制御部と、電源から供給される電圧を電圧変換して２次側電圧を生成する電源部と、前記電源部と前記制御部との間に設けられ、前記ラッチ式電磁弁通電中から通電後にかけて、前記制御部の電圧を保持するバックアップコンデンサと、前記バックアップコンデンサと前記電源部との間に設けられ、前記バックアップコンデンサから、前記駆動コンデンサへの充電を抑制する逆流抑制手段と、を備えたことを特徴とするバルブ装置が提供される。
【００１２】
これによれば、バックアップコンデンサから駆動コンデンサへの充電を抑制する逆流抑制手段を備えるため、ラッチ式電磁弁の通電中から通電後にかけて、バックアップコンデンサの充電は行われず、駆動コンデンサへの充電のみ行われる。そのため、駆動コンデンサの充電に電流を制限する必要がなく、駆動コンデンサへの充電時間を大幅に短縮し、ラッチ式電磁弁を短時間で開／閉動作させることができる。また、また、制御部の電源はバックアップコンデンサに充電された電力により供給されるため、バルブ装置を安定して動作させることができる。
【００１３】
本発明の実施形態によれば、前記制御部は、その一部の機能を制限または停止させる低消費モードを有し、前記駆動コンデンサへの充電中は低消費モードで動作するものとすることができる。
【００１４】
これによれば、駆動コンデンサへの充電中は制御部の消費電力を抑制することができる。そのため、駆動コンデンサへの充電時間をより短縮し、ラッチ式電磁弁をさらに短時間で開／閉動作させることができる。
【００１５】
また、本発明の実施形態によれば、湯水を吐水する吐水口を有する吐水部と、前記バルブ装置と、を備え、前記バルブ装置の前記ラッチ式電磁弁は、前記吐水口へ湯水を供給する流路を開閉することを特徴とする水栓装置が提供される。
【００１６】
これによれば、駆動コンデンサの充電に電流を制限する必要がなく、駆動コンデンサへの充電時間を大幅に短縮し、ラッチ式電磁弁を短時間で開／閉動作させることができ、なおかつバルブ装置を安定して動作させることができる。そのため、湯水の吐水を短時間で連続して行うことができ、使い勝手がよい。特に、オフィスビルや駅のトイレブースにおける手洗い用の水栓等、連続して吐水が行われる可能性が高い環境に設置された水栓装置において、使い勝手を向上させることができる。なお、ここでいう、湯水とは水、湯、及び、湯と水とを混合した混合湯水を含むものである。
【００１７】
また、本発明の実施形態によれば、給水源からの水を供給する給水管と、給湯源からの湯を供給する給湯管と、前記給水管および前記給湯管からそれぞれ供給された湯と水とを混合する湯水混合手段と、前記湯水混合手段から前記吐水口へ湯水を供給する出湯管と、をさらに備え、前記ラッチ式電磁弁は、前記給水管及び前記給湯管にそれぞれ設けられているものとすることができる。
【００１８】
これによれば、駆動コンデンサの充電に電流を制限する必要がなく、駆動コンデンサへの充電時間を大幅に短縮し、ラッチ式電磁弁を短時間で開／閉動作させることができ、なおかつバルブ装置を安定して動作させることができる。そのため、給水管及び給水管に設けられたラッチ式電磁弁を連続して駆動でき、湯水混合手段にて湯水を適切な温度に素早く混合することができる。
【発明の効果】
【００１９】
本発明の実施形態によれば、電磁弁を短時間で開／閉動作させ、且つシステムリセットせず安定して動作できるバルブ装置及びこれを備えた水栓装置を提供することができる。
【図面の簡単な説明】
【００２０】
【図１】第１の実施形態に係る水栓装置を例示する模式図である。
【図２】第１の実施形態に係る水栓装置の吐水口付近を示す正面図である。
【図３】第１の実施形態に係るバルブ装置の回路構成の一例を示す図である。
【図４】第１の実施形態によるバルブ装置の動作を示すタイミング図である。
【図５】第２の実施形態に係るバルブ装置の回路構成の一例を示す図である。
【図６】第２の実施形態によるバルブ装置の動作を示すタイミング図である。
【図７】第３の実施形態に係る水栓装置を例示する模式図である。
【図８】第３の実施形態に係るバルブ装置の回路構成の一例を示す図である。
【図９】第３の実施形態によるバルブ装置の動作を示すタイミング図である。
【発明を実施するための形態】
【００２１】
以下、本発明の実施形態について図面を参照しつつ説明する。なお、各図面中、同様の構成要素には同一の符号を付して、詳細な説明は適宜省略する。
【００２２】
（第１の実施形態）
まず、図１及び図２を参照しつつ、本発明の第１の実施形態に係る水栓装置の構成を説明する。  
図１は、本発明の第１の実施形態に係る水栓装置を例示する模式図である。  
図２は、第１の実施形態に係る水栓装置の吐水口付近を示す正面図である。
第１の実施形態による水栓装置１００は、洗面器などに固定される水栓金具（吐水部）１と、水栓金具１に給水源（図示せず）からの水を供給する給水管２と、水栓金具１における吐止水を切り替えるバルブ装置としてのバルブユニット４と、使用者が操作を行う操作スイッチ５と、吐水口１１付近に設置され、人体を検出するセンサ１２と、を有する。なお、給水管２は水または湯を供給するものでもよく、あるいは湯と水とを混合した混合湯水を供給するものでもよい。
【００２３】
バルブユニット４は、ソレノイドコイルへの通電により給水管２の流路を開／閉するラッチ式電磁弁３（以下、「電磁弁３」ともいう）と、スイッチ操作や人体検出により電磁弁３を開／閉するコントローラユニット６と、を有する。操作スイッチ５とセンサ１２と電磁弁３はそれぞれ、信号線８、９、１０によりコントローラユニット６と接続されている。コントローラユニット６は電源コード７によりＡＣ１００Ｖが供給されている。
【００２４】
図３は、第１の実施形態に係るバルブ装置の回路構成の一例を示す図である。  
図３に示すバルブ装置４は、電磁弁３と、制御部２０と、ＡＣ電圧を整流し直流電圧を供給する整流回路２１と、制御部２０や電磁弁３を動作させる電源となる電源部２２と、電磁弁３を通電するための電磁弁通電回路２３（通電部）と、電磁弁駆動コンデンサ２４（以下、「駆動コンデンサ２４」ともいう）と、を備えている。バルブ装置４には、操作スイッチ５とセンサ１２と、が接続されている。なお、制御部２０、整流回路２１、電源部２２、電磁弁通電回路２３、及び、電磁弁駆動コンデンサ２４は、コントローラユニット６に含まれている。
【００２５】
電磁弁３を通電するための電磁弁通電回路２３は、電磁弁３と駆動コンデンサ２４との間に設けられ、制御部２０に制御され、駆動コンデンサ２４から電磁弁３への通電を開始あるいは停止するように構成されている。電磁弁通電回路２３は、電磁弁３への通電を行うことによって、図１に示す給水管２の流路の開／閉を行い、吐止水の制御を行う。電磁弁通電回路２３は、流路の開／閉状態の切替えに応じて、電磁弁３に通電する電流の向きを切替えるＨブリッジ回路にて構成されている。
【００２６】
センサ１２は、例えば、反射光量判定方式のアクティブ型赤外線センサである。投光素子（図示せず）から投光された赤外線信号が水栓金具１の吐水口１１へ差し出された使用者の手によって反射されると、その反射された赤外線信号を受光素子（図示せず）で受光する。そして、受光素子での受光量と予め設定されたしきい値とを比較して、手の感知と非感知とを判断して、その情報を制御部２０へ送信する。
【００２７】
電源部２２は、駆動コンデンサ２４に充電するための電源を供給する第１電源部２２ａと、制御部２０やセンサ１２に電源を供給する第２電源部２２ｂと、を備えている。第１電源部２２ａと第２電源部２２ｂは、整流回路２１から供給される電圧を電圧変換して制御部２０や電磁弁３を動作させる例えば３．３ＶのＤＣ電圧を出力する。第１電源部２２ａと第２電源部２２ｂの出力電圧は、例えば３．３Ｖと５Ｖなど、互いに異なっていても良い。
【００２８】
図４は、第１の実施形態によるバルブ装置の動作を示すタイミング図である。
時刻Ｔ０において、操作スイッチ５が操作されると、制御部２０は使用者のスイッチ操作を検出し、吐水制御を行う。具体的には、制御部２０は電磁弁通電回路２３を動作させ、電磁弁３の開駆動を行うのに十分な期間Ｔ０−Ｔ１（例えば１２ｍｓ）通電する。電磁弁３のインピーダンスを５オームとすると、電磁弁３の通電時間中は、平均約５００ｍＡ程度の電流を流す必要がある。第１電源部２２ａの電流供給能力を２００ｍＡとすると、不足する電流は駆動コンデンサ２４から供給される。駆動コンデンサ２４の静電容量を１００００ｕFとすると、電磁弁３への通電中は、駆動コンデンサ２４から電荷が放電され、通電後の駆動コンデンサ２４の電圧Ｖｄｄ２は約１．９Ｖまで低下する。
一方、制御部２０の電圧Ｖｄｄ１は、第２電源部２２ｂにより安定化されている。そのため制御部２０は、電磁弁３の通電中も、電圧が低下することなく、安定して動作することが出来る。
【００２９】
通電後、期間Ｔ１−Ｔ２にかけて、駆動コンデンサ２４は第１電源部２２ａから供給される電流により充電される。制御部２０へ電圧を供給する第２電源部２２ｂと、駆動コンデンサ２４へ充電を行う第１電源部２２ａと、は並列に設けられ、互いに影響することがない。そのため、第１電源部２２ａから駆動コンデンサ２４へ充電する時、電流を制限する必要がなく、第１電源部２２ａが出力できる２００ｍＡで急速に充電することができる。駆動コンデンサ２４を電磁弁３の通電終了直後Ｔ１から充電する場合、充電時間Ｔ１−Ｔ２は、約７０ｍｓ程度と短くできる。
【００３０】
時刻Ｔ３において、操作スイッチ５が操作されると、制御部２０が再び、使用者のスイッチ操作を検出し、止水制御を行う。止水制御は、電磁弁３に通電する電流の方向を吐水制御とは逆にすることで行う。具体的には電磁弁通電回路２３のＨブリッジ回路のスイッチングパターンを変更する。通電以降の制御は吐水制御と同様であるため、説明は省略する。
【００３１】
電磁弁３の開駆動を開始する時刻Ｔ０から閉駆動を開始できる時刻Ｔ３までの時間は、駆動コンデンサ２４の充電時間に依存する。駆動コンデンサ２４の充電が不十分であると、閉駆動を開始できないからである。本実施形態によれば、充電コンデンサ２４への充電時間Ｔ１−Ｔ２は約７０ｍｓと短い。そのため、電磁弁３の開動作と閉動作との間の時間間隔を短くできる。つまり、開動作と閉動作を短時間で繰り返すことができ、且つシステムリセットせず安定して動作できるバルブ装置を提供することができる。
【００３２】
（第２の実施形態）
次に、第２の実施形態について説明する。  
第２の実施形態による水栓装置の基本構成や制御内容については、第１の実施形態で説明した内容と同様であるため、詳細な説明は適宜省略する。本実施形態が第１の実施形態と異なる点は、電源部２２の構成である。
【００３３】
図５は、第２の実施形態に係るバルブ装置の回路構成の一例を示す図である。  
第２の実施形態においては、制御部２０の電源として、コンデンサ３０（バックアップコンデンサ）を用いる。駆動コンデンサ２４に充電するための電源を供給する電源部３２は、第１の実施形態における第１電源部２２ａと同様とすることができる。  
コンデンサ３０を直接電源部３２に接続すると、電磁弁３を駆動した際、駆動コンデンサ２４の電圧が降下し、コンデンサ３０から駆動コンデンサ２４へ電流が流れ、コンデンサ３０の電圧も低下する。そのため、最悪の場合、前述した様に、制御部２０がリセットする可能性がある。そこで、コンデンサ３０と駆動コンデンサ２４との間に逆流抑制手段３１を設ける。逆流抑制手段３１は、電磁弁３を駆動した時に、コンデンサ３０から駆動コンデンサ２４への逆流を抑制する。
【００３４】
図６は、第２の実施形態によるバルブ装置の動作を示すタイミング図である。  
スイッチ操作および、電磁弁３の制御は、第１の実施形態と同様とすることができるのでその説明は省略する。電磁弁３への通電中（期間Ｔ０−Ｔ１）は、駆動コンデンサ２４の電圧Ｖｄｄ２は、放電によって低下する。一方、コンデンサ３０の電圧Ｖｄｄ１は、逆流抑制手段３１により、Ｖｄｄ２側へ流れないように構成されているため、急激に電圧降下することはなく、制御部２０やセンサ１２の消費によって緩やかに降下する。
図６に表した具体例においては、抵抗３１によって逆流を抑制しているが、本実施形態はこれには限定されず、逆流を抑制することが可能であれば、抵抗３１の代わりに例えばダイオードやＦＥＴなどを設けても良い。
【００３５】
電磁弁３への通電後、駆動コンデンサ２４は、第１の実施形態と同様に、期間Ｔ１−Ｔ３にかけて、電源部３２から供給される電流により充電される。ここで、期間Ｔ１−Ｔ２にかけては、Ｖｄｄ１＞Ｖｄｄ２となるため、コンデンサ３０の充電は行われず、駆動コンデンサ２４への充電のみ行われる。そのため、期間Ｔ１−Ｔ２にかけては、第１の実施形態同様、電源部３２から駆動コンデンサ２４へ充電する時、電流を制限する必要がなく、電源部３２が出力できる２００ｍＡで急速に充電することができる。
【００３６】
期間Ｔ２−Ｔ３にかけては、Ｖｄｄ１≦Ｖｄｄ２となるため、コンデンサ３０と駆動コンデンサ２４への充電が行われる。このとき、コンデンサ３０へ充電されていた電力が多く消費されていると、電力消費に伴いＶｄｄ１の電圧も降下している。そのため、Ｖｄｄ１＞Ｖｄｄ２となる期間Ｔ１−Ｔ２が短くなり、コンデンサ３０への充電も行われる期間Ｔ２−Ｔ３が長くなる。つまり、駆動コンデンサ２４の充電時間が長くなる可能性がある。
【００３７】
電磁弁３の通電中から、駆動コンデンサ２４への充電が終わる期間Ｔ０−Ｔ３は、コンデンサ３０から消費される電力を小さくすることが望ましい。  
このためには、期間Ｔ０−Ｔ３においては、一部の回路の機能を制限／停止させる低消費モードで動作させることができる。例えば、制御部２０に搭載されたＣＰＵ（図示せず）の機能を一部停止することができる。このような低消費モードを用いることで、制御部２０の消費電力を効率的に抑えることができ、コンデンサ３０の電圧を高く維持できる。また、コンデンサ３０は、制御部２０の他、センサ１２を動作させる電源として用いている。例えば、センサ１２の電源を制御部２０からＯＮ／ＯＦＦできる回路を追加し、期間Ｔ０−Ｔ３は、センサ１２の電源をＯＦＦするようにしても良い。
【００３８】
期間Ｔ０−Ｔ３において、コンデンサ３０から消費される電力を少なくし、コンデンサ３０への充電時間を短くすることで、駆動コンデンサ２４の充電時間を短くすることができる。さらに、電磁弁３への通電中は、コンデンサ３０から消費される電力は小さいため、コンデンサ３０の容量も小さくできる。
一方、図１〜図４を参照しつつ説明した第１実施形態においても、同様に、制御部２０を低消費モードで動作させることができる。すなわち、第１実施形態において、駆動コンデンサ２４へ充電中は、制御部２０は低消費モードで動作するようにすれば、第１電源部２２ａから駆動コンデンサ２４へ充電する際の電流を大きくすることも可能となり、さらに短時間で充電することも可能となる。
【００３９】
（第３の実施形態）
次に、第３の実施形態について説明する。  
第３の実施形態においては、第１および第２の実施形態と水栓装置の構成が異なる。
【００４０】
図７は、第３の実施形態に係る水栓装置を例示する模式図である。  
第３の実施形態による水栓装置３００は、第１および第２の実施形態の水栓装置にさらに加えて、給湯源（図示せず）からの湯を供給する給湯管４０と、給湯管４０の流路を開／閉するラッチ式電磁弁４１（以下、「電磁弁４１」ともいう）と、電磁弁４１の開／閉を制御する信号線４２と、給水管２から供給される水と給湯管４０から供給される湯を混合し、適切な水温（例えば４０度）に調整する温度調整弁４３（湯水混合手段）と、温度調整弁４３によって調整された混合湯水を水栓金具１へ出湯する出湯管４４と、を有する。
コントローラユニット６が、電磁弁３と電磁弁４１の開／閉を制御することで、湯や水の出／止を行う。
【００４１】
図８は。第３の実施形態に係るバルブ装置の回路構成の一例を示す図である。  
第３の実施形態に係る回路構成の基本構成は、第１の実施形態と同様とすることができる。第１の実施形態の回路構成と異なる点は、電磁弁通電回路２３の構成である。第３の実施形態に係る水栓装置３００は、２つの電磁弁、すなわち電磁弁３と電磁弁４１とを有する。そのため、電磁弁通電回路２３は、２つの電磁弁を制御する構成とされている。具体的には、２つのＨブリッジ回路が設けられている。電磁弁３と電磁弁４１の開／閉は、第１の実施形態と同様に、電磁弁通電回路２３のスイッチングパターンを変更することで行うことができる。  
電磁弁３と電磁弁４１を駆動するための電流は、第１の実施形態と同様に、駆動コンデンサ２４から供給される。
【００４２】
図９は、第３の実施形態によるバルブ装置の動作を示すタイミング図である。
時刻Ｔ０において、スイッチが操作されると、第１の実施形態同様、制御部２０がスイッチ操作を検出し、出湯する。制御部２０は、電磁弁通電回路２４を動作させ、まず電磁弁３の開駆動を行うのに十分な期間Ｔ０−Ｔ１（例えば１２ｍｓ）通電する。電磁弁３の通電終了直後は、駆動コンデンサ２４の電圧は、放電により低下している。制御部２０は、駆動コンデンサ２４への充電時間Ｔ１−Ｔ３が経過するまで待機した後、電磁弁通電回路２４を動作させ、電磁弁４１の開駆動を行う。
【００４３】
時刻Ｔ４において、スイッチが操作されると、制御部２０がスイッチ操作を検出し、止湯する。出湯時同様、通電回路２４を動作させ、電磁弁３および電磁弁４１の閉駆動を行う。通電制御については、出湯制御と同様であるため、説明は省略する。また、電磁弁３および電磁弁４１を駆動した時の、電圧Ｖｄｄ１およびＶｄｄ２の電圧波形は第１の実施形態の動作と同様であるため、説明は省略する。
【００４４】
以上説明したように、第３の実施形態によれば、複数の電磁弁も短時間で開／閉動作することができる。  
給水管２から供給される水と、給湯管４０から供給される湯と、は、温度調整弁４３で混合される。水と湯の供給タイミングに差があると、使用者が意図した水温を得られるまでにタイムラグが発生し、使い勝手が低下する。  
これに対して、本実施形態によれば、電磁弁３、４１を短時間で駆動することで、タイムラグを大幅に短縮し、使い勝手を向上させることができる。なお、図８に例示した電源部２２の回路は、図３に例示した回路と同様としたが、これの代わりに、図５に例示した回路を用いてもよい。
【００４５】
以上、本発明の実施形態について説明した。しかし、本発明はこれらの記述に限定されるものではない。前述の実施の形態に関して、当業者が適宜設計変更を加えたものも、本発明の特徴を備えている限り、本発明の範囲に包含される。
例えば、入力電源はＡＣ１００Ｖとしたが、給水管に発電機を設け、発電機から得られた電力を電源としても良い。
また、水栓装置が備える各要素の形状、寸法、材質、配置などの設置形態などは、例示したものに限定されるわけではなく適宜変更することができる。
【符号の説明】
【００４６】
１  吐水部（水栓金具）、２  給水管、３  ラッチ式電磁弁、４  バルブ装置、５  操作スイッチ、６  コントローラユニット、７  電源コード、８  信号線（スイッチ〜コントローラユニット間）、９  信号線（センサ〜コントローラユニット間）、１０  信号線（ラッチ式電磁弁〜コントローラユニット間）、１１  吐水口、１２  センサ、２０  制御部、２１  整流回路、２２  電源部、２２ａ  第１電源部、２２ｂ  第２電源部、２３  電磁弁通電回路、２４  電磁弁駆動コンデンサ、３０  コンデンサ、３１  逆流抑制手段、３２  電源部、４０  給湯管、４１  ラッチ式電磁弁、４２  信号線（ラッチ式電磁弁〜コントローラユニット間）、４３  温度調整弁、４４  出湯管、１００、３００  水栓装置
【図１】
2015068399.tif 000003
【図２】
2015068399.tif 000004
【図３】
2015068399.tif 000005
【図４】
2015068399.tif 000006
【図５】
2015068399.tif 000007
【図６】
2015068399.tif 000008
【図７】
2015068399.tif 000009
【図８】
2015068399.tif 000010
【図９】
2015068399.tif 000011